(57)【要約】【課題】  モータ等の駆動手段の振動を防止し、さらには、駆動手段の十分な位置決め精度、固定の際の良好な操作性にも資する、駆動手段の固定構造、この固定構造を有する複写機、ファクシミリ、プリンタ等の画像形成装置の提供。【解決手段】駆動手段３２と、駆動手段３２を保持する保持部材３５とを剛体１４に固定するための固定構造３３であって、駆動手段３２を剛体１４または剛体１４と実質的に一体の部材１５に対して実質的に固定する固定位置を有する固定構造３３及びこれを有する画像形成装置。【選択図】図７
2006138335.tif 000002
【特許請求の範囲】
【請求項１】
駆動手段と、前記駆動手段を保持する保持部材とを剛体に固定するための固定構造であって、前記駆動手段を剛体または剛体と実質的に一体の部材に対して実質的に固定する少なくとも１つの第１の固定位置を有する固定構造。
【請求項２】
請求項１記載の固定構造において、前記駆動手段を前記保持部材に固定した少なくとも１つの第２の固定位置を有することを特徴とする固定構造。
【請求項３】
請求項１または２記載の固定構造において、第１の固定位置では、前記駆動手段を前記保持部材とともに剛体または剛体と実質的に一体の部材に対して固定することを特徴とする固定構造。
【請求項４】
請求項３記載の固定構造において、第１の固定位置では、前記駆動手段を前記保持部材とともに剛体または剛体と実質的に一体の部材に対して１つの部材で固定することを特徴とする固定構造。
【請求項５】
請求項４記載の固定構造において、第１の固定位置では、前記駆動手段を前記保持部材とともに剛体または剛体と実質的に一体の部材に対して１つの部材で締結により共締めで固定することを特徴とする固定構造。
【請求項６】
請求項１ないし５の何れか１つに記載の固定構造において、前記保持部材を剛体または剛体と実質的に一体の部材に対して固定する第３の固定位置を有することを特徴とする固定構造。
【請求項７】
請求項６記載の固定構造において、第３の固定位置が、非直線上にある３つの位置を少なくとも含むことを特徴とする固定構造。
【請求項８】
請求項７記載の固定構造において、第１の固定位置を、第３の固定位置によって形成される平面に投影したとき、投影された位置が、前記平面上において第３の固定位置によって囲まれる領域内に位置することを特徴とする固定構造。
【請求項９】
請求項１ないし８の何れか１つに記載の固定構造において、前記保持部材が、前記駆動手段によって駆動される被駆動部材を一体に有しており、前記駆動手段と前記保持部材と前記被駆動部材とを一体で剛体または剛体と実質的に一体の部材に対して固定することを特徴とする固定構造。
【請求項１０】
請求項１ないし９の何れか１つに記載の固定構造を備えた画像形成装置。
【発明の詳細な説明】
【技術分野】
【０００１】
本発明は、モータ等の駆動手段の振動を防止する固定構造、この固定構造を有する複写機、ファクシミリ、プリンタ等の画像形成装置に関する。
【背景技術】
【０００２】
種々の装置は、モータ等の駆動手段を備えている。かかる駆動手段は、動作時に振動を発生するものであるが、装置によっては、振動によりその性能の低下を来たすものや、振動が環境に与える影響を考慮する必要があるものがあり、振動は可能な限り抑制させることが望ましい。
【０００３】
振動によりその性能の低下を来たす装置としては、たとえば、複写機、ファクシミリ、プリンタ等の画像形成装置が挙げられる。これについて以下説明する。
今日、電子写真装置等として提供されているかかる画像形成装置では、市場からの要求にともない、カラー複写機やカラープリンタなど、カラー画像を形成可能なものが多くなってきている。
【０００４】
カラー画像形成装置には、いわゆる１ドラム型のものと、いわゆるタンデム型のものとがある。１ドラム型のカラー画像形成装置は、１つの感光体のまわりに複数色の現像装置を備え、それらの現像装置でトナーを付着させて感光体上に合成トナー画像を形成し、そのトナー画像を転写してシートにカラー画像を記録するよう構成されている。タンデム型の画像形成装置は、並べて備えられた複数の感光体にそれぞれ個別に現像装置を備え、各感光体上にそれぞれ単色トナー画像を形成し、それらの単色トナー画像を順次転写することで結果的にシート上に合成カラー画像を記録するよう構成されている。
【０００５】
１ドラム型とタンデム型とを比較すると、前者には、感光体が１つであるから、比較的小型化でき、コストも低減できる利点があるものの、１つの感光体を用いて複数回、通常は４回、画像形成を繰り返してフルカラー画像を形成することから、画像形成の高速化が困難であるという問題があり、後者には、感光体を複数備えるために大型化し、コスト高となる問題はあるものの、画像形成の高速化が容易であるという利点がある。両者にはこのような特質があるが、最近は、フルカラー画像を形成する場合にもモノクロ画像を形成時並みのスピードが要求され、高速化が重視されていることから、タンデム型が注目されてきている。
【０００６】
タンデム型のカラー画像形成装置には、直接転写方式のものと、間接転写方式のものがある。直接転写方式のカラー画像形成装置は、各感光体上の画像を、転写装置により、シート搬送ベルトで搬送するシートに順次重ね合わせ転写するよう構成されている。間接転写方式のカラー画像形成装置は、各感光体上の画像を１次転写装置により、一旦、中間転写体上に順次重ね合わせ転写し、その後、中間転写体上の画像を２次転写装置によりシートに一括転写するよう構成されている。２次転写装置にはローラ形状のものと転写搬送ベルト形状のものがある。
【０００７】
直接転写方式と間接転写方式とを比較すると、前者は、感光体が並んでいる上流側に給紙装置を配設するとともに、下流側に定着装置を配設しなければならず、シート搬送方向に大型化する問題があるが、これに対し、後者は、給紙装置、定着装置を、感光体が並んでいる部分と、上下方向において重ねて配置することができ、また２次転写位置を比較的自由に設置することができるため、小型化が可能となるという利点がある。
【０００８】
このような背景を有する種々の画像形成において、近年、高画質化の要望が一層高まっている。
高画質化のためには、加振源となるモータ等の駆動手段の振動を抑制し、画像のバンディングを低減させる必要がある。画像のバンディングは、直接転写方式、間接転写方式の何れに限らず、画像の重ね合わせ転写を行うカラー画像形成装置においては、特に画像品質に影響を与えるため、駆動手段の振動を抑制することは重要である。
【０００９】
そのため、かかる画像形成装置の分野において、〔特許文献１〕に記載されているように、振動を抑制することを目的とした、駆動手段等の固定構造が提案されており、また、振動抑制のための制御方法が、〔特許文献２〕において提案されている。
また、〔特許文献３〕、〔特許文献４〕には、駆動手段の位置決め精度や位置決めの際の操作性を向上することを目的とした、駆動手段の固定構造が提案されている。
【００１０】
【特許文献１】特開２００２−２１４９１４号公報
【特許文献２】特開平１１−１９４５７０号公報
【特許文献３】特開２００３−１３１５４０号公報
【特許文献４】特開平１０−７８７３７号公報
【発明の開示】
【発明が解決しようとする課題】
【００１１】
しかし、〔特許文献１〕ないし〔特許文献４〕に記載の技術は、駆動手段の振動の抑制が十分であるとはいえず、また、振動の十分な抑制と、十分な位置決め精度及び固定の際の良好な操作性とを同時に満たす構造を開示したものとはいえない。
【００１２】
本発明は、モータ等の駆動手段の振動を防止し、さらには、駆動手段の十分な位置決め精度、固定の際の良好な操作性にも資する、駆動手段の固定構造、この固定構造を有する複写機、ファクシミリ、プリンタ等の画像形成装置を提供することを目的とする。
【課題を解決するための手段】
【００１３】
上記目的を達成するため、請求項１記載の発明は、駆動手段と、前記駆動手段を保持する保持部材とを剛体に固定するための固定構造であって、前記駆動手段を剛体または剛体と実質的に一体の部材に対して実質的に固定する少なくとも１つの第１の固定位置を有する固定構造。
【００１４】
請求項２記載の発明は、請求項１記載の固定構造において、前記駆動手段を前記保持部材に固定した少なくとも１つの第２の固定位置を有することを特徴とする。
【００１５】
請求項３記載の発明は、請求項１または２記載の固定構造において、第１の固定位置では、前記駆動手段を前記保持部材とともに剛体または剛体と実質的に一体の部材に対して固定することを特徴とする。
【００１６】
請求項４記載の発明は、請求項３記載の固定構造において、第１の固定位置では、前記駆動手段を前記保持部材とともに剛体または剛体と実質的に一体の部材に対して１つの部材で固定することを特徴とする。
【００１７】
請求項５記載の発明は、請求項４記載の固定構造において、第１の固定位置では、前記駆動手段を前記保持部材とともに剛体または剛体と実質的に一体の部材に対して１つの部材で締結により共締めで固定することを特徴とする。
【００１８】
請求項６記載の発明は、請求項１ないし５の何れか１つに記載の固定構造において、前記保持部材を剛体または剛体と実質的に一体の部材に対して固定する第３の固定位置を有することを特徴とする。
【００１９】
請求項７記載の発明は、請求項６記載の固定構造において、第３の固定位置が、非直線上にある３つの位置を少なくとも含むことを特徴とする。
【００２０】
請求項８記載の発明は、請求項７記載の固定構造において、第１の固定位置を、第３の固定位置によって形成される平面に投影したとき、投影された位置が、前記平面上において第３の固定位置によって囲まれる領域内に位置することを特徴とする。
【００２１】
請求項９記載の発明は、請求項１ないし８の何れか１つに記載の固定構造において、前記保持部材が、前記駆動手段によって駆動される被駆動部材を一体に有しており、前記駆動手段と前記保持部材と前記被駆動部材とを一体で剛体または剛体と実質的に一体の部材に対して固定することを特徴とする。
【００２２】
請求項１０記載の発明は、請求項１ないし９の何れか１つに記載の固定構造を備えた画像形成装置にある。
【発明の効果】
【００２３】
本発明は、駆動手段と、前記駆動手段を保持する保持部材とを剛体に固定するための固定構造であって、前記駆動手段を剛体または剛体と実質的に一体の部材に対して実質的に固定する少なくとも１つの第１の固定位置を有する固定構造にあるので、駆動手段及び駆動手段のみならず保持手段の振動を防止でき、これを備える装置がその性能を良好に発揮することに寄与できるとともに、振動に起因する騒音をも防止し、これを備える装置の使用される環境への配慮に寄与することができる固定構造を提供することができる。
【００２４】
前記駆動手段を前記保持部材に固定した少なくとも１つの第２の固定位置を有することとすれば、駆動手段及び駆動手段のみならず保持手段の振動を防止できるとともに、駆動手段と保持手段との固定を良好にすることでこれらの振動をさらに良好に防止でき、これを備える装置がその性能を良好に発揮することに寄与できるとともに、振動に起因する騒音をも防止し、これを備える装置の使用される環境への配慮に寄与することができる固定構造を提供することができる。
【００２５】
第１の固定位置では、前記駆動手段を前記保持部材とともに剛体または剛体と実質的に一体の部材に対して固定することとすれば、第１の固定位置で駆動手段のみならず保持手段をも固定することで、固定位置を共通化させることでその固定位置の増加を抑制しつつ多数の固定位置を確保することができ、駆動手段及び保持手段の振動を良好に防止できるとともに、駆動手段と保持手段との固定を良好にすることでこれらの振動をさらに良好に防止でき、これを備える装置がその性能を良好に発揮することに寄与できるとともに、振動に起因する騒音をも防止し、これを備える装置の使用される環境への配慮に寄与することができる固定構造を提供することができる
【００２６】
第１の固定位置では、前記駆動手段を前記保持部材とともに剛体または剛体と実質的に一体の部材に対して１つの部材で固定することとすれば、第１の固定位置で駆動手段のみならず保持手段をも固定することで、固定位置を共通化させることでその固定位置の増加を抑制しつつ多数の固定位置を確保することができ、駆動手段及び保持手段の振動を良好に防止できるとともに、駆動手段と保持手段との固定を良好にすることでこれらの振動をさらに良好に防止でき、これを備える装置がその性能を良好に発揮することに寄与できるとともに、振動に起因する騒音をも防止し、これを備える装置の使用される環境への配慮に寄与することができ、また駆動手段の固定を簡易に行うことができるとともに駆動手段の位置決め精度が良好な固定構造を提供することができる。
【００２７】
第１の固定位置では、前記駆動手段を前記保持部材とともに剛体または剛体と実質的に一体の部材に対して１つの部材で締結により共締めで固定することとすれば、第１の固定位置で駆動手段のみならず保持手段をも固定することで、固定位置を共通化させることでその固定位置の増加を抑制しつつ多数の固定位置を確保することができ、駆動手段及び保持手段の振動を良好に防止できるとともに、駆動手段と保持手段との固定を良好にすることでこれらの振動をさらに良好に防止でき、これを備える装置がその性能を良好に発揮することに寄与できるとともに、振動に起因する騒音をも防止し、これを備える装置の使用される環境への配慮に寄与することができ、また駆動手段の固定をより簡易に行うことができるとともに駆動手段の位置決め精度がより良好な固定構造を提供することができる。
【００２８】
前記保持部材を剛体または剛体と実質的に一体の部材に対して固定する第３の固定位置を有することとすれば、駆動手段及び駆動手段のみならず保持手段の振動を防止できるとともに、保持手段の振動をより良好に防止でき、これを備える装置がその性能を良好に発揮することに寄与できるとともに、振動に起因する騒音をも防止し、これを備える装置の使用される環境への配慮に寄与することができる固定構造を提供することができる。
【００２９】
第３の固定位置が、非直線上にある３つの位置を少なくとも含むこととすれば、駆動手段及び駆動手段のみならず保持手段の振動を防止できるとともに、保持手段の振動をさらに良好に防止でき、これを備える装置がその性能を良好に発揮することに寄与できるとともに、振動に起因する騒音をも防止し、これを備える装置の使用される環境への配慮に寄与することができる固定構造を提供することができる。
【００３０】
第１の固定位置を、第３の固定位置によって形成される平面に投影したとき、投影された位置が、前記平面上において第３の固定位置によって囲まれる領域内に位置することとすれば、駆動手段及び駆動手段のみならず保持手段の振動を防止できるとともに、保持手段の振動をさらに良好に防止でき、また、駆動手段の振動が生ずるとすればこの振動の腹にあたる部分を剛体またはこれと実質的に一体の部材に対して固定することで、そのような振動が生じることをさらに良好に防止でき、これを備える装置がその性能を良好に発揮することに寄与できるとともに、振動に起因する騒音をも防止し、これを備える装置の使用される環境への配慮に寄与することができる固定構造を提供することができる。
【００３１】
前記保持部材が、前記駆動手段によって駆動される被駆動部材を一体に有しており、前記駆動手段と前記保持部材と前記被駆動部材とを一体で剛体または剛体と実質的に一体の部材に対して固定することとすれば、駆動手段及び駆動手段のみならず保持手段の振動を防止でき、これを備える装置がその性能を良好に発揮することに寄与できるとともに、振動に起因する騒音をも防止し、これを備える装置の使用される環境への配慮に寄与することができ、また駆動手段、保持部材、被駆動部材を、ユニットとして剛体またはこれと実質的に一体の部材に対して固定できるから、これらの固定をより簡易に行うことができるとともに駆動手段の位置決め精度をより良好とすることができる固定構造を提供することができる。
【００３２】
本発明は、請求項１ないし９の何れか１つに記載の固定構造を備えた画像形成装置にあるので、上述の各効果を奏する固定構造を有し、駆動手段及び駆動手段のみならず保持手段の振動を防止でき、画像のバンディングを防止することができ、良好な画像形成を行うことで高品質の画像形成を行うことができ、画像形成性能を良好に発揮することができるとともに、振動に起因する騒音をも防止し、使用される環境に配慮した画像形成装置を提供することができる。
【発明を実施するための最良の形態】
【００３３】
図１に本発明を適用した、カラー画像を高速で形成可能な多色画像形成装置である画像形成装置の概略を示す。画像形成装置１００は、複写機、プリンタ、ファクシミリの複合機であるが、他の画像形成装置、すなわち、複写機、プリンタ、ファクシミリの単体、あるいは複写機とプリンタとの複合機等他の複合機であっても良い。画像形成装置１００は、プリンタとして用いられる場合には、外部から受信した画像情報に対応する画像信号に基づき画像形成処理を行なう。これは画像形成装置１００がファクシミリとして用いられる場合も同様である。
【００３４】
画像形成装置１００は、一般にコピー等に用いられる普通紙の他、ＯＨＰシートや、カード、ハガキ等の厚紙や、封筒等の何れをもシート状の記録媒体としてこれに画像形成を行なうことが可能である。画像形成装置１００は、記録媒体としての転写紙の両面に画像形成可能な両面画像形成装置でもある。画像形成装置１００は、上下方向において中央位置を占める本体１０１と、本体１０１の上側に位置し原稿を読み取る読取装置２１および原稿を積載され積載された原稿を読取装置２１に向けて送り出す自動原稿給紙装置２２と、本体１０１の下側に位置し感光体ドラム２０Ｙ、２０Ｍ、２０Ｃ、２０ＢＫと無端ベルトである中間転写ベルトとしての転写ベルト１１との間に向けて搬送される転写紙を積載したシート給送装置２３とを有している。
【００３５】
画像形成装置１００は、イエロー、マゼンタ、シアン、ブラックの各色に色分解された色にそれぞれ対応する像としての画像を形成可能な複数の像担持体としての感光体ドラム２０Ｙ、２０Ｍ、２０Ｃ、２０ＢＫを並設したタンデム構造を採用したタンデム型の画像形成装置である。感光体ドラム２０Ｙ、２０Ｍ、２０Ｃ、２０ＢＫは、同一径であり、画像形成装置１００の本体１０１の内部のほぼ中央部に配設された転写ベルト１１の外周面側すなわち作像面側に、等間隔で並んでいる。
【００３６】
転写ベルト１１は、各感光体ドラム２０Ｙ、２０Ｍ、２０Ｃ、２０ＢＫに対峙しながら矢印Ａ１方向に移動可能となっている。各感光体ドラム２０Ｙ、２０Ｍ、２０Ｃ、２０ＢＫに形成された可視像すなわちトナー像は、矢印Ａ１方向に移動する転写ベルト１１に対しそれぞれ重畳転写され、その後、転写紙に一括転写されるようになっている。よって画像形成装置１００は間接転写方式のタンデム型カラー画像形成装置である。
【００３７】
転写ベルト１１に対する重畳転写は、転写ベルト１１がＡ１方向に移動する過程において、各感光体ドラム２０Ｙ、２０Ｍ、２０Ｃ、２０ＢＫに形成されたトナー像が、転写ベルト１１の同じ位置に重ねて転写されるよう、転写ベルト１１を挟んで各感光体ドラム２０Ｙ、２０Ｍ、２０Ｃ、２０ＢＫのそれぞれに対向する位置に配設された転写チャージャとしての１次転写ローラ１２Ｙ、１２Ｍ、１２Ｃ、１２ＢＫによる電圧印加によって、Ａ１方向上流側から下流側に向けてタイミングをずらして、各感光体ドラム２０Ｙ、２０Ｍ、２０Ｃ、２０ＢＫの真下の位置すなわち転写位置にて行われる。
【００３８】
各感光体ドラム感光体ドラム２０Ｙ、２０Ｍ、２０Ｃ、２０ＢＫは、Ａ１方向の上流側からこの順で並設されている。各感光体ドラム感光体ドラム２０Ｙ、２０Ｍ、２０Ｃ、２０ＢＫはそれぞれ、イエロー、マゼンタ、シアン、ブラックの画像を形成するための、画像ステーション６０Ｙ、６０Ｍ、６０Ｃ、６０ＢＫに備えられている。
【００３９】
画像形成装置１００は、４つの画像ステーション６０Ｙ、６０Ｍ、６０Ｃ、６０ＢＫによって構成される画像形成部としての作像部６０と、各感光体ドラム２０Ｙ、２０Ｍ、２０Ｃ、２０ＢＫの下方に対向して配設され、転写ベルト１１を備えた中間転写ユニットであるベルトユニットとしての転写ベルトユニット１０と、転写ベルト１１に対向して配設され転写ベルト１１に当接し、転写ベルト１１への当接位置において転写ベルト１１と同方向に回転して転写ベルト１１上のトナー像を転写紙に転写する転写部材としての２次転写ローラ５と、転写ベルト１１上のトナー像を転写された転写紙を搬送する搬送ユニット７６と、転写ベルト１１に対向して配設され転写ベルト１１上をクリーニングする図示しない中間転写ベルトクリーニング装置とを有している。
【００４０】
画像形成装置１００はまた、画像ステーション６０Ｙ、６０Ｍ、６０Ｃ、６０ＢＫの上方に対向して配設された書き込み手段である光書き込み装置としての書込みユニットである光走査装置８と、シート給送装置２３から搬送されてきた転写紙を、画像ステーション６０Ｙ、６０Ｍ、６０Ｃ、６０ＢＫによるトナー像の形成タイミングに合わせた所定のタイミングで、転写ベルト１１と２次転写ローラ５の間の転写部に向けて繰り出すレジストローラ対１３と、転写紙の先端がレジストローラ対１３に到達したことを検知する図示しないセンサとを有している。
【００４１】
画像形成装置１００はまた、転写ベルト１１上のトナー像を転写され搬送ユニット７６によって搬送されてきた転写紙が進入し、転写紙にトナー像を定着させるためのベルト定着方式の定着ユニットとしての定着装置６と、定着済みの転写紙を本体１０１外に排出する排紙経路と再度給紙ユニット７５に向けて搬送する反転経路とを備え転写紙を何れかの経路に搬送する排紙ユニット７９と、排紙ユニット７９が一方の面に画像を形成された転写紙を反転経路に搬送した場合に、その転写紙をスイッチバックして反転させ、再度、レジストローラ対１３に向けて搬送する再給紙ユニットとしての両面ユニット８０と、本体１０１外部に配設され画像形成済みの転写紙を積載する排紙トレイ７５とを有している。
【００４２】
画像形成装置１００はまた、２次転写ローラ５を駆動する駆動手段としての図２に示すモータ５７と、定着装置６及び両面ユニット８０の一部を駆動するための図３に示すモータ３２を備えた駆動ユニット３１と、本体１０１に備えられた剛体としての図６に示す側板１４と、図３または図７等に示すモータ３２の固定構造３３とを有している。
【００４３】
側板１４は、側板１４に凸設され側板１４と実質的に一体のスタッド１５を有している。スタッド１５の先端には、図示しないネジ孔が形成されている。このネジ孔は、後述する孔１６およびこれに連通する後述する図示しないネジ孔に連通するようになっている。側板１４には、図示しないネジ孔が形成されている。このネジ孔は、後述する孔１８およびこれに連通する後述する図示しないねじ孔に連通するようになっている。側板１４には、後述する軸受４９ａ、４９ｂがそれぞれ嵌合する孔２６、２７が形成されている。
【００４４】
転写ベルトユニット１０は、転写ベルト１１の他に、１次転写ローラ１２Ｙ、１２Ｍ、１２Ｃ、１２ＢＫと、転写ベルト１１を巻き掛けられた、駆動ローラ７２、転写入口ローラ７３、テンションローラ７４及び図２に示す駆動ローラ７２を駆動する駆動手段としてのモータ５２を有している。なお、図２において符号Ｓは転写紙を示している。
【００４５】
光走査装置８は、感光体ドラム２０Ｙ、２０Ｍ、２０Ｃ、２０ＢＫの表面によって構成された被走査面をそれぞれ走査して露光し、静電潜像を形成するための、画像信号に基づくレーザービームとしての図示しないレーザー光を発する図示しない発光源と、発光源によって発せられたレーザー光をその回転により走査する図示しないポリゴンミラーと、ポリゴンミラーを回転駆動する図示しないポリゴンモータと、ポリゴンミラーによって走査されたレーザー光を感光体ドラム２０Ｙ、２０Ｍ、２０Ｃ、２０Ｂ上に結像させ走査する図示しない多数の光学素子とを有している。
【００４６】
定着装置６は、熱源を内部に有する加熱ローラ６２と、加熱ローラ６２に圧接する加圧ローラ６３とを有している。加熱ローラ６２は駆動ユニット３１によって回転駆動されるようになっており、トナー像を担持した転写紙が、駆動ユニット３１によって回転駆動される加熱ローラ６２と、加熱ローラ６２に従動回転する加圧ローラ６３との圧接部である定着部を通過することで、熱と圧力との作用により、担持したトナー像が転写紙の表面に定着されるようになっている。
【００４７】
排紙ユニット７９は、定着装置６から搬送されてきた転写紙を、両面ユニット８０に向けて搬送する搬送ローラ９７と、本体１０１外に排出する排紙ローラ９８とを有している。
両面ユニット８０は、排紙ユニット７９から搬送されてきた、一方の面に画像形成された転写紙を一旦積載するトレイ９２と、トレイ９２上の転写紙をスイッチバックさせる反転ローラ９３と、反転ローラ９３によってスイッチバックされた転写紙をレジストローラ１３に向けて送り出す給紙ローラ９５等を有している。反転ローラ９３は駆動ユニット３２によって回転駆動されるようになっている。
【００４８】
シート給送装置２３は、多数枚の転写紙を積載した給紙カセット２５と、給紙カセット２５に積載された転写紙のうち最上位の転写紙の上面に当接する給紙ローラとしての給送ローラ２４を有しており、給送ローラ２４が時計回り方向に回転駆動されることにより、最上位の転写紙をレジストローラ対１３に向けて給送するようになっている。
図３に示すように、駆動ユニット３１は、加熱ローラ６２と反転ローラ９３とを駆動する駆動手段としてのモータ３２を有している。
【００４９】
画像ステーション６０Ｙ、６０Ｍ、６０Ｃ、６０ＢＫについて、そのうちの一つの、感光体ドラム２０Ｙを備えた画像ステーション６０Ｙの構成を代表して構成を説明する。なお、他の画像ステーション６０Ｍ、６０Ｃ、６０ＢＫの構成は画像ステーション６０Ｙの構成と実質的に同一であるので、その説明については適宜省略する。
【００５０】
感光体ドラム２０Ｙを備えた画像ステーション６０Ｙは、感光体ドラム２０Ｙの周囲に、図中反時計方向に沿って、感光体ドラム２０Ｙを高圧に帯電するための帯電手段である帯電装置と、感光体ドラム２０Ｙを現像するための現像手段である現像装置と、１次転写ローラ１２Ｙと、感光体ドラム２０Ｙをクリーニングするためのクリーニング手段としてのクリーニング装置と、感光体ドラム２０Ｙを駆動する駆動手段としての図２に示すモータ５３Ｙとを有している。なお、図２において、符号５３Ｍ、５３Ｃ、５３ＢＫはそれぞれ、感光体ドラム２０Ｍ、２０Ｃ、２０ＢＫを駆動する駆動手段としてのモータを示している。
【００５１】
帯電装置は、図示を省略するが、感光体ドラム２０Ｙの表面に当接して従動回転する帯電ローラと、帯電ローラに当接し従動回転するクリーニングローラとを有している。帯電ローラには、直流に交流成分のバイアスを重畳印加する図示しない電圧印加手段が接続されており、感光体ドラム２０Ｙと対向する帯電領域において、感光体ドラム２０Ｙの表面を除電すると同時に、所定の極性に帯電するようになっている。
【００５２】
１次転写ローラ１２Ｙには、図示しない電源を備えたバイアス印加手段とバイアス制御手段とによって１次転写に適した所定の電圧が印加されるようになっている。
光走査装置８は、感光体ドラム２０Ｙと帯電装置との対向領域である帯電領域と、感光体ドラム２０Ｙと現像装置との対向領域である現像領域との間の領域に、光変調されたレーザー光を照射して帯電ローラにより帯電された後の感光体ドラム２０Ｙの表面を露光し、現像装置によってイエロートナー像として可視像化される静電潜像を形成するようになっている。
【００５３】
クリーニング装置は、図示を省略するが、感光体ドラム２０Ｙに当接し感光体ドラム２０Ｙ上の残留トナー、キャリア、紙粉等の不要物を掻き取ってクリーニングするブラシローラと、感光体ドラム２０Ｙの回転方向において、ブラシローラよりも下流側の位置で感光体ドラム２０Ｙに当接し感光体ドラム２０Ｙ上の不要物を掻き取ってクリーニングするためのクリーニングブレードと、ブラシローラ、クリーニングブレードによって掻き取られた不要物を図示しない廃トナーボトルに向けて搬送するための図示しない排出経路の一部を構成する排出スクリュとを有している。
【００５４】
現像装置は、図２に示すように、感光体ドラム２０Ｙに近接対向して配設され、現像剤を表面に担持して搬送する現像剤担持体としての現像ローラ５１Ｙと、現像ローラ５１Ｙを駆動する駆動手段としてのモータ５４Ｙと、モータ５４Ｙの駆動力を現像ローラ５１Ｙに伝達するためのギヤ５５Ｙ，５６Ｙと、図示を省略するが、現像ローラ５１Ｙに対向するように配設され、現像ローラ５１Ｙに担持された現像剤の層厚を一定の高さに規制する規制部材としての現像ドクタである現像ブレードと、現像ローラ５１Ｙに直流成分の現像バイアスを印加するバイアス印加手段等とを有している。
【００５５】
なお、図２において、符号５４Ｍ、５４Ｃ、５４ＢＫはそれぞれ、現像ローラ５１Ｍ、５１Ｃ、５１ＢＫを駆動する駆動手段としてのモータを示しており、符号５５Ｍ，５６Ｍ、５５Ｃ，５６Ｃ、５５ＢＫ，５６ＢＫはそれぞれ、モータ５４Ｍ、５４Ｃ、５４ＢＫの駆動力を現像ローラ５１Ｍ、５１Ｃ、５１ＢＫに伝達するためのギヤを示している。
【００５６】
画像ステーション６０Ｙの構成は以上のようであって、感光体ドラム２０Ｙは、回転に伴い、帯電装置により表面を一様に帯電され、光走査装置からのレーザー光の露光走査によりイエロー色に対応した静電潜像を形成される。この静電潜像の形成は、レーザー光が、図１の紙面垂直方向である主走査方向に走査するとともに、感光体ドラム２０Ｙの回転により、感光体ドラム２０Ｙの円周方向である副走査方向へも走査することによって行われる。
【００５７】
このようにして形成された静電潜像には、現像装置により供給される帯電したイエロー色のトナーが付着し、イエロー色に現像されて顕像化され、現像により得られたイエロー色の可視画像たるトナー像は、１次転写ローラ１２ＹによりＡ１方向に移動する転写ベルト１１に１次転写され、転写後に残留したトナー等の異物はクリーニング装置により掻き取り除去されて、感光体ドラム２０Ｙは、帯電装置による次の除電、帯電に供される。なお他の感光体ドラム２０Ｃ、２０Ｍ、２０ＢＫにおいても同様にして各色のトナー像が形成等される。
【００５８】
他の感光体ドラム２０Ｃ、２０Ｍ、２０ＢＫにおいても同様に各色のトナー像が形成等され、形成された各色のトナー像は、１次転写ローラ１２Ｃ、１２Ｍ、１２ＢＫにより、Ａ１方向に移動する転写ベルト１１上の同じ位置に順次１次転写される。転写ベルト１１上に重ね合わされたトナー像は、転写ベルト１１のＡ１方向の回転に伴い、２次転写ローラ５との対向位置である２次転写部まで移動し、２次転写部において転写紙に２次転写される。
【００５９】
転写ベルト１１と２次転写ローラ５との間に搬送されてきた転写紙は、シート給送装置２３から給送ローラ２４によって繰り出されてフィードされ、または両面ユニット８０から給紙ローラ９５によって繰り出されてフィードされ、レジストローラ対１３によって、センサによる検出信号に基づいて、転写ベルト１１上のトナー像の先端部が２次転写ローラ５に対向するタイミングで送り出されたものである。
【００６０】
転写紙は、すべての色のトナー像を転写され、担持すると、搬送ユニット７６によって搬送されて定着装置６に進入し、加熱ローラ６２と加圧ローラ６３との間の定着部を通過する際、熱と圧力との作用により、担持したトナー像を定着され、転写紙上にカラー画像が形成される。定着装置６を通過した定着済みの転写紙は、排紙ローラ９８を経て排紙トレイ７５上にスタックされ、または両面ユニット８０に進入して両面画像形成に備える。一方、２次転写を終えた転写ベルト１１は、中間転写ベルトクリーニング装置によってクリーニングされ、次の現像工程に備える。
【００６１】
このような画像形成工程において、高画質の画像形成を行うためには、加振源となるモータ３２、５２、５３Ｙ、５３Ｍ、５３Ｃ、５３ＢＫ、５４Ｙ、５４Ｍ、５４Ｃ、５４ＢＫ、５７の振動を抑制し、画像のバンディングを低減させる必要がある。画像のバンディングは、画像の重ね合わせ転写を行う画像形成装置１００においては、特に画像品質に影響を与えるため、モータ３２、５２、５３Ｙ、５３Ｍ、５３Ｃ、５３ＢＫ、５４Ｙ、５４Ｍ、５４Ｃ、５４ＢＫ、５７の振動を抑制することは重要である。
【００６２】
そこで、画像形成装置１００は、モータ３２、５２、５３Ｙ、５３Ｍ、５３Ｃ、５３ＢＫ、５４Ｙ、５４Ｍ、５４Ｃ、５４ＢＫ、５７の振動を防止することを目的としたモータ３２、５２、５３Ｙ、５３Ｍ、５３Ｃ、５３ＢＫ、５４Ｙ、５４Ｍ、５４Ｃ、５４ＢＫ、５７の固定構造を有している。
【００６３】
モータ３２の固定構造３３は、そのうちの１つのであり、固定構造３３をかかる固定構造の代表とし、その構成を説明する。なお、他のモータ５２、５３Ｙ、５３Ｍ、５３Ｃ、５３ＢＫ、５４Ｙ、５４Ｍ、５４Ｃ、５４ＢＫ、５７の固定構造の構成は固定構造３３の構成と実質的に同一であるので、その説明については省略する。
【００６４】
まず、固定構造３３の一部をなす駆動ユニット３１の構造について説明する。
図３ないし図７に示すように、駆動ユニット３１は、出力ギヤ３２ａを有するモータ３２と、モータ３２を保持する保持部材３５と、出力ギヤ３２ａに噛合した減速ギヤ３６と、減速ギヤ３６と一体で回転するプーリ３７と、プーリ３７に内周面を巻き掛けられたタイミングベルト３８と、プーリ３７とともにタイミングベルト３８の内周面を巻き掛けられたプーリ３９、４０と、タイミングベルト３８の外周面を巻き掛けられた補助プーリ５９と、保持部材３５と対向して配設され、保持部材３５との間にプーリ３７、３９、４０、減速ギヤ３６、タイミングベルト３９、補助プーリ５９を収容する対向部材４９とを有している。
【００６５】
駆動ユニット３１はまた、プーリ３９の回転中心をなすとともに反転ローラ９３の回転軸をなす、保持部材３５及び対向部材４９に挿通された軸３９ａと、プーリ４０の回転中心をなすとともに加熱ローラ６２の回転軸をなす、保持部材３５及び対向部材４９に挿通された軸４０ａと、補助プーリ５９の回転中心をなすとともに対向部材４９に挿通された軸５９ａと、保持部材３５における軸３９ａの軸受３５ａと、対向部材４９における軸３９ａの軸受４９ａと、保持部材３５における軸４０ａの軸受３５ｂと、対向部材４９における軸４０ａの軸受４９ｂと、モータ３２を保持部材３５に３箇所の第２の固定位置８２で締結により固定したネジ４２とを有している。
【００６６】
保持部材３５は、モータ３２によって駆動される被駆動部材としての減速ギヤ３６と、プーリ３７、３９、４０と、タイミングベルト３８と、補助プーリ５９とを一体に有しており、駆動ユニット３１は、保持部材３５と対向部材４９との間に、かかる被駆動部材としての減速ギヤ３６と、プーリ３７、３９、４０と、タイミングベルト３８と、補助プーリ５９とを内包する態様で、一体に有している。
【００６７】
モータ３２は、第２の固定位置８２に形成された３つのネジ孔１７と、第１の固定位置８１に形成されたネジ孔１６とを有している。保持部材３５は、第２の固定位置８２に形成された、各ネジ孔１７に連通する図示しないネジ孔と、第１の固定位置８１に形成された、ネジ孔１６に連通する図示しないネジ孔と、６つの耳部１９と、各耳部１９において第３の固定位置８３に形成されたネジ孔１８とを有している。対向部材４９は、各ネジ孔１８に連通する図示しないネジ孔と、スタッド１５を挿通される孔２８とを有している。
【００６８】
駆動ユニット３１はこのような構成であるので、モータ３２の駆動により、出力ギヤ３２ａ、減速ギヤ３６、プーリ３７、タイミングベルト３８を介して、プーリ３９、４０が回転駆動され、プーリ３９、４０の回転によって、軸３９ａ、４０ａがそれぞれ回転し、これによって反転ローラ９３、加熱ローラ６２が回転駆動されるようになっている。
【００６９】
固定構造３３は、保持部材３５と、対向部材４９と、側板１４と、スタッド１５と、第１の固定位置８１と、第１の固定位置８１に形成されたネジ孔１６と、ネジ孔１６に連通する、保持部材３５及びスタッド１５に形成されたネジ孔と、これら連通したネジ孔に共締めで締結される１つのネジ４１と、第２の固定位置８２と、各第２の固定位置８２に形成された各ネジ孔１７と、各ネジ孔１７に連通する、保持部材３５に形成されたネジ孔と、これら連通した各ネジ孔に共締めで締結される各１つのネジ４２と、第３の固定位置８３と、各第３の固定位置８３に形成された各ネジ孔１８と、各ネジ孔１８に連通する、対向部材４９および側板１４に形成されたネジ孔と、これら連通した各ネジ孔に共締めで締結される各１つのネジ４３と、軸受４９ａ、４９ｂと、孔２６、２７とを有している。
【００７０】
駆動ユニット３１は、取り付けの際に、組み立てられた状態で一体で、図６において矢印Ｄで示す方向に移動され、孔２６、２７にそれぞれ軸受４９ａ、４９ｂを嵌合させて側板１４に一体化され、この状態で、ネジ孔１６及びこれに連通する保持部材３５のネジ孔及びスタッド１５の先端のネジ孔に、ネジ４１を用いた締結により共締めで固定するとともに、ネジ孔１８及びこれに連通する保持部材３５のネジ孔及び側板１４のネジ孔に、それぞれネジ４３を用いた締結により共締めで固定することによって、側板１４及びスタッド１５に取り付けられ、図７に示すように固定される。
【００７１】
このように、固定構造３３によって、モータ３２は保持部材３５とともに、保持部材３５を介して、スタッド１５及び側板１４に実質的に固定され、保持部材３５は対向部材４９を介して、側板１４に実質的に固定される。
固定構造３３においては、モータ３２が保持部材３５を介さずスタッド１５に直接固定される構造となっていても良いし、スタッド１５をも介さず側板１４に直接固定される構造となっていても良い。保持部材３５も、対向部材４９を介さず側板１４に直接固定される構造となっていても良い。いずれの構成でも、モータ３２、保持部材３５が側板１４に実質的に固定され、モータ３２、保持部材３５の振動が防止され、画像のバンディングが防止され、良好な画像形成が行われて高品質の画像形成が行われ、さらには、かかる振動による騒音も防止される。
【００７２】
また、モータ３２が保持部材３５を挟んだ状態でスタッド１５に固定されることで、固定位置を共通化し、モータ３２の固定位置すなわち締結位置を増加させることなく、保持部材３５の側板１４への固定位置を増加させ、保持部材３５の振動が防止されるから、このことも、画像のバンディングの防止、良好で高品質の画像形成、騒音の防止を担保している。
【００７３】
また、図８に示すように、固定構造３３は、第１の固定位置８１を、第３の固定位置８３によって形成される平面に投影したとき、投影された位置が、かかる平面上において第３の固定位置８３によって囲まれる領域２９内に、すなわち、第３の固定位置８３を結んだ線の内側に、位置する構成となっているため、保持部材３５が振動するとすればこの振動の腹となる領域２９の内側の位置を固定しているから、第１の固定位置８１における固定は、そのような振動を防止し、モータ３２、保持部材３５の防振効果をさらに向上している。このことも、画像のバンディングの防止、良好で高品質の画像形成、騒音の防止を担保している。
【００７４】
以上、本発明を実施するための形態として、本発明を適用した固定構造及び画像形成装置について説明したが、画像形成装置は直接転写方式のタンデム型のカラー画像形成装置であっても良いし、１ドラム型のカラー画像形成装置であっても良いし、単色の画像のみを形成可能な画像形成装置であっても良い。第１の固定位置は、複数備えられていても良い。この場合には、少なくとも１つが、上記形態における領域２９に対応する領域に配設されていることが望ましい。第１の固定位置、第２の固定位置、第３の固定位置における固定は、ネジ止めに限らず、他の部材や嵌め合わせなど他の構成によって行うようにしても良い。
【００７５】
第３の固定位置は、上記形態における領域２９のような領域を形成するためには、非直線上にある３つの位置を少なくとも含んでいれば良い。駆動手段、保持部材を固定する剛体は、側板に限らず、駆動手段、保持部材を固定したときにこれらの振動を防止する剛性を有する部材であればよく、筐体等であっても良い。なお、上記形態において、駆動手段には、その筐体も含んでいる。
本発明の適用は、上述の説明において特に限定を行っていない限り、上述の形態に限られるものではない。
【図面の簡単な説明】
【００７６】
【図１】本発明を適用した画像形成装置の概略を示す正面図である。
【図２】図１に示した画像形成装置に備えられた複数の駆動手段を示す正面図である。
【図３】図１に示した画像形成装置に備えられた固定構造の正面図である。
【図４】図３に示した固定構造の背面図である。
【図５】図３に示した固定構造の背断面図である。
【図６】図３に示した固定構造の組み立て前の側断面図である。
【図７】図３に示した固定構造の側断面図である。
【図８】図３に示した固定構造に備えられた第１の固定位置の配設態様を示す概念図である。
【符号の説明】
【００７７】
１４    剛体
１５    剛体と実質的に一体の部材
２９    第３の固定位置によって囲まれる領域
３２    駆動手段
３５    保持部材
３６、３７、３８、３９、４０、５９    被駆動部材
４１    第１の固定位置で固定する部材、第１の固定位置で締結により共締めで固定する部材
８１    第１の固定位置
８２    第２の固定位置
８３    第３の固定位置
１００    画像形成装置
【図１】
2006138335.tif 000003
【図２】
2006138335.tif 000004
【図３】
2006138335.tif 000005
【図４】
2006138335.tif 000006
【図５】
2006138335.tif 000007
【図６】
2006138335.tif 000008
【図７】
2006138335.tif 000009
【図８】
2006138335.tif 000010